(57)【要約】【課題】伸縮棚において、廃棄が容易なものを提供するとともに、伸縮棚として従来では使用されない素材を用いることにより、その素材の新たな利用方法を提供する。【解決手段】伸縮棚５は、本体部１０と、本体部１０に取り付けられる台部１１０とを有し、本体部１０は、左側本体部２０と右側本体部６０とからなり、互いにスライドする。また、台部１１０は、左側台部１２０と右側台部１６０とからなり、互いにスライドする。左側台部１２０は、左側本体部２０の側面部３１から突出した突出片部４０に係止し、同様に、右側台部１６０は、右側本体部６０の側面部７１から突出した突出片部に係止している。左側本体部２０と、右側本体部６０と、左側台部１２０と、右側台部１６０は、１枚の段ボール製のブランクにより形成されている。【選択図】図２
0003150858.tif 000002
【実用新案登録請求の範囲】
【請求項１】
伸縮棚であって、
本体部と、台部とを有し、
本体部は、左側本体部と、左側本体部に対してスライドする右側本体部とを有し、
左側本体部は、１枚のシート状の紙製のブランクにより形成されていて、
方形状で板状の第１底面部と、
第１底面部の背面側の辺部から折れ線を介して立設した方形状の第１後側背面板部と、第１後側背面板部の上辺から折れ線を介して連設され第１後側背面板部と略平行に設けられた方形状の第１前側背面板部と、を有する第１背面部と、
第１底面部の正面側の辺部から折れ線を介して立設した方形状の第１前側正面板部と、第１前側正面板部の上辺から折れ線を介して連設され第１前側正面板部の背面側に第１前側正面板部と略平行に設けられた方形状の第１後側正面板部と、を有する正面部で、その上端の高さが背面部の上端の高さよりも低く形成された第１正面部と、
底面部の左辺から折れ線を介して立設した略台形形状でその上辺が正面側から背面側に向けて上方に傾斜した第１外側側板部と、第１外側側板部の上辺から折れ線を介して右側面側に連設され第１外側側板部の上辺に沿って帯状に形成された第１側面部帯状板部と、第１側面部帯状板部の右側面側の辺部から折れ線を介して連設され第１外側側板部と略平行に設けられた第１内側側板部で、略台形形状でその上辺が正面側から背面側に向けて上方に傾斜した形状を呈し、第１中間側板部から連設された第１突出片部を右側面側に突出させるための開口部を有する第１内側側板部と、第１前側背面板部又は第１後側背面板部の左辺から折れ線を介して連設され第１外側側板部と第１内側側板部間に設けられた第１中間側板部と、第１中間側板部の内側に領域に切込みを形成することにより形成され第１内側側板部の開口部から右側面側に突出した第１突出片部と、を有する第１側面部と、を有し、
該右側本体部は、１枚のシート状の紙製のブランクにより形成されていて、
方形状で板状の第２底面部で、左辺側の領域が第１底面部の上面に重なって設けられた第２底面部と、
第２底面部の背面側の辺部から折れ線を介して立設した方形状の第２後側背面板部と、第２後側背面板部の上辺から折れ線を介して連設され第２後側背面板部と略平行に設けられた方形状の第２前側背面板部と、を有する第２背面部と、
第２底面部の正面側の辺部から折れ線を介して立設した方形状の第２前側正面板部と、第２前側正面板部の上辺から折れ線を介して連設され第２前側正面板部の背面側に第２前側正面板部と略平行に設けられた方形状の第２後側正面板部と、を有する正面部で、その上端の高さが背面部の上端の高さよりも低く形成された第２正面部と、
底面部の右辺から折れ線を介して立設した略台形形状でその上辺が正面側から背面側に向けて上方に傾斜した第２外側側板部と、第２外側側板部の上辺から折れ線を介して左側面側に連設され第２外側側板部の上辺に沿って帯状に形成された第２側面部帯状板部と、第２側面部帯状板部の左側面側の辺部から折れ線を介して連設され第２外側側板部と略平行に設けられた第２内側側板部で、略台形形状でその上辺が正面側から背面側に向けて上方に傾斜した形状を呈し、第２中間側板部から連設された第２突出片部を左側面側に突出させるための開口部を有する第２内側側板部と、第２前側背面板部又は第２後側背面板部の右辺から折れ線を介して連設され第２外側側板部と第２内側側板部間に設けられた第２中間側板部と、第２中間側板部の内側に領域に切込みを形成することにより形成され第２内側側板部の開口部から左側面側に突出した第２突出片部と、を有する第２側面部と、を有し、
右側本体部と左側本体部のいずれか一方における背面部が他方の背面部内に挿入されるとともに、該一方における正面部が他方の正面部内に挿入され、該一方の底面部の少なくとも一部が該他方の底面部の上面に位置することにより、左側本体部と右側本体部とが互いにスライド可能に形成され、
台部は、左側台部と、左側台部に対してスライドする右側台部とを有し、
左側台部は、１枚のシート状の紙製のブランクにより形成されていて、
方形状を呈し、その前後方向の長さが第１底面部の前後方向の長さよりも短く形成された第１上面板部と、
第１上面板部の背面側の辺部から折れ線を介して下方に第１上面板部と略直角に連設され、その高さ方向の長さが第１背面部の高さ方向の長さよりも短く形成された方形状の第１背面板部と、
第１背面板部の下辺から折れ線を介して正面側に連設され、その前後方向の長さが第１上面板部の前後方向の長さよりも短く形成され第１上面板部と略平行に設けられた第１後側底面板部と、
第１後側底面板部の正面側の辺部から折れ線を介して上方に第１背面板部と略平行に連設された第１後側立設板部と、
第１上面板部の正面側の辺部から折れ線を介して下方に連設され、第１背面板部と対称に形成された第１正面板部と、
第１背面板部の下辺から折れ線を介して正面側に連設され、第１後側底面板部と対象に形成された第１前側底面板部と、
第１前側底面板部の正面側の辺部から折れ線を介して上方に第１正面板部と略平行に連設された第１前側立設板部と、
第１上面板部の左辺から連設され、第１上面板部に対して略直角に形成され、第１突出片部が係止するための開口部が設けられた第１側面板部と、
第１側面板部の第１上面板部側とは反対側の辺部から連設され、第１後側底面板部と第１前側底面板部の内側に差し込む第１差込み片部と、を有し、
右側台部は、１枚のシート状の紙製のブランクにより形成されていて、
方形状を呈し、その前後方向の長さが第２底面部の前後方向の長さよりも短く形成された第２上面板部と、
第２上面板部の背面側の辺部から折れ線を介して下方に第２上面板部と略直角に連設され、その高さ方向の長さが第２背面部の高さ方向の長さよりも短く形成された方形状の第２背面板部と、
第２背面板部の下辺から折れ線を介して正面側に連設され、その前後方向の長さが第２上面板部の前後方向の長さよりも短く形成され第２上面板部と略平行に設けられた第２後側底面板部と、
第２後側底面板部の正面側の辺部から折れ線を介して上方に第２背面板部と略平行に連設された第２後側立設板部と、
第２上面板部の正面側の辺部から折れ線を介して下方に連設され、第２背面板部と対称に形成された第２正面板部と、
第２背面板部の下辺から折れ線を介して正面側に連設され、第２後側底面板部と対象に形成された第２前側底面板部と、
第２前側底面板部の正面側の辺部から折れ線を介して上方に第２正面板部と略平行に連設された第２前側立設板部と、
第２上面板部の右辺から連設され、第２上面板部に対して略直角に形成され、第２突出片部が係止するための開口部が設けられた第２側面板部と、
第２側面板部の第２上面板部側とは反対側の辺部から連設され、第２後側底面板部と第２前側底面板部の内側に差し込む第２差込み片部と、を有し、
左側台部と右側台部のいずれか一方が他方に挿入されて左側台部と右側台部とが互いにスライド可能に形成され、第１突出片部を第１側面板部の開口部に差し込むとともに第２突出片部を第２側面板部の開口部に差し込むことにより台部が本体部に取り付けられていることを特徴とする伸縮棚。
【請求項２】
左側本体部と右側本体部における一方の本体部の背面部が他方の本体部の背面部内に挿入され、該一方の本体部の正面部が他方の本体部の正面部内に挿入され、該一方の本体部の底面部の少なくとも一部が該他方の本体部の底面部の上面に位置することにより、左側本体部と右側本体部とが互いにスライド可能としている場合において、該一方の本体部の底面部における該一方の本体部の側面部側とは反対側の辺部から折れ線を介して連設され、該底面部の下面側に折り返して該底面部の下面に接着された帯状の第１底面部脱落防止用片部と、該他方の本体部の底面部における該他方の本体部の側面部側とは反対側の辺部から折れ線を介して連設され、該底面部の上面側に折り返して該底面部の上面に接着された帯状の第２底面部脱落防止用片部とを有するとともに、該一方の本体部の後側背面板部における該一方の本体部の側面部側とは反対側の辺部から折れ線を介して連設され、該後側背面板部の背面側に折り返して該後側背面板部の背面に接着された第１背面部脱落防止用片部と、該他方の本体部の後側背面板部における該他方の本体部の側面部側とは反対側の辺部から折れ線を介して連設され、該後側背面板部の正面側に折り返して該後側背面板部の正面に接着された第２背面部脱落防止用片部とを有し、左側本体部と右側本体部を伸縮棚が伸びる方向に伸ばした際に、該一対の脱落防止用片部が係止することにより、第１底面部脱落防止用片部と第２底面部脱落防止用片部とが係止し、第１背面部脱落防止用片部と第２背面部脱落防止用片部とが係止して左側本体部と右側本体部とが外れるのを防止することを特徴とする請求項１に記載の伸縮棚。
【請求項３】
左側本体部と右側本体部における一方の本体部の背面部が他方の本体部の背面部内に挿入され、該一方の本体部の正面部が他方の本体部の正面部内に挿入され、該一方の本体部の底面部の少なくとも一部が該他方の本体部の底面部の上面に位置することにより、左側本体部と右側本体部とが互いにスライド可能としている場合において、該一方の本体部における後側正面板部の下辺から折れ線を介して背面側に略帯状の水平板部が連設され、該水平板部から後側正面板部と間隔を介して略平行に設けられたスライド用板部が立設し、該他方の本体部の後側正面板部が、該一方の本体部の水平板部と後側正面板部に挟まれた状態でスライドすることを特徴とする請求項１又は２に記載の伸縮棚。
【請求項４】
左側台部と右側台部における一方の台部を他方の台部に挿入して左側台部と右側台部とが互いにスライド可能に形成されている場合において、該他方の台部の後側立設板部の上端から折れ線を介して連設され、後側立設板部の正面側に折り返して後側立設板部の正面側に接着された後側接着板部で、その高さ方向の長さが後側立設板部の高さ方向の長さよりも短く形成された後側接着板部と、後側接着板部の下辺から正面側に折れ線を介して連設された帯状の後側架設板部と、該他方の台部の前側立設板部の上端から折れ線を介して連設され、前側立設板部の背面側に折り返して前側立設板部の背面側に接着された前側接着板部で、その高さ方向の長さが前側立設板部の高さ方向の長さよりも短く形成された前側接着板部と、前側接着板部の下辺から正面側に折れ線を介して連設された帯状の前側架設板部とが設けられ、前側架設板部と後側架設板部とが連結されていることを特徴とする請求項１又は２又は３に記載の伸縮棚。
【請求項５】
左側本体部と右側本体部における一方の本体部の背面部が他方の本体部の背面部内に挿入され、該一方の本体部の正面部が他方の本体部の正面部内に挿入され、該一方の本体部の底面部の少なくとも一部が該他方の本体部の底面部の上面に位置することにより、左側本体部と右側本体部とが互いにスライド可能としている場合において、該他方の本体部において、後側背面板部と前側背面板部の間には、後側背面板部の上辺と前側背面板部の上辺に沿って帯状の帯状板部が後側背面板部と前側背面板部とに折れ線を介して設けられ、前側正面板部と後側正面板部の間には、前側正面板部の上辺と後側正面板部の上辺に沿って帯状の帯状板部が前側正面板部と後側正面板部とに折れ線を介して設けられていることを特徴とする請求項１又は２又は３又は４に記載の伸縮棚。
【請求項６】
上記左側本体部と右側本体部と左側台部と右側台部を構成するブランクが段ボール製であることを特徴とする請求項１又は２又は３又は４又は５に記載の伸縮棚。
【請求項７】
伸縮棚であって、
本体部と、台部とを有し、
本体部は、左側本体部と、左側本体部に対してスライドする右側本体部とを有し、
左側本体部は、１枚のシート状の段ボール製のブランクにより形成されていて、
方形状で板状の第１底面部と、
第１底面部の背面側の辺部から折れ線を介して立設した方形状の第１後側背面板部と、第１後側背面板部の上辺から折れ線を介して連設され第１後側背面板部と略平行に設けられた方形状の第１前側背面板部と、を有する第１背面部と、
第１底面部の正面側の辺部から折れ線を介して立設した方形状の第１前側正面板部と、第１前側正面板部の上辺から折れ線を介して連設され第１前側正面板部の背面側に第１前側正面板部と略平行に設けられた方形状の第１後側正面板部と、を有する正面部で、その上端の高さが背面部の上端の高さよりも低く形成された第１正面部と、
底面部の左辺から折れ線を介して立設した略台形形状でその上辺が正面側から背面側に向けて上方に傾斜した第１外側側板部と、第１外側側板部の上辺から折れ線を介して右側面側に連設され第１外側側板部の上辺に沿って帯状に形成された第１側面部帯状板部と、第１側面部帯状板部の右側面側の辺部から折れ線を介して連設され第１外側側板部と略平行に設けられた第１内側側板部で、略台形形状でその上辺が正面側から背面側に向けて上方に傾斜した形状を呈し、第１中間側板部から連設された第１突出片部を右側面側に突出させるための開口部を有する第１内側側板部と、第１前側背面板部又は第１後側背面板部の左辺から折れ線を介して連設され第１外側側板部と第１内側側板部間に設けられた第１中間側板部と、第１中間側板部の内側に領域に切込みを形成することにより形成され第１内側側板部の開口部から右側面側に突出した第１突出片部と、を有する第１側面部と、を有し、
該右側本体部は、１枚のシート状の段ボール製のブランクにより形成されていて、
方形状で板状の第２底面部で、左辺側の領域が第１底面部の上面に重なって設けられた第２底面部と、
第２底面部の背面側の辺部から折れ線を介して立設した方形状の第２後側背面板部と、第２後側背面板部の上辺から折れ線を介して連設され第２後側背面板部と略平行に設けられた方形状の第２前側背面板部と、を有する第２背面部と、
第２底面部の正面側の辺部から折れ線を介して立設した方形状の第２前側正面板部と、第２前側正面板部の上辺から折れ線を介して連設され第２前側正面板部の背面側に第２前側正面板部と略平行に設けられた方形状の第２後側正面板部と、を有する正面部で、その上端の高さが背面部の上端の高さよりも低く形成された第２正面部と、
底面部の右辺から折れ線を介して立設した略台形形状でその上辺が正面側から背面側に向けて上方に傾斜した第２外側側板部と、第２外側側板部の上辺から折れ線を介して左側面側に連設され第２外側側板部の上辺に沿って帯状に形成された第２側面部帯状板部と、第２側面部帯状板部の左側面側の辺部から折れ線を介して連設され第２外側側板部と略平行に設けられた第２内側側板部で、略台形形状でその上辺が正面側から背面側に向けて上方に傾斜した形状を呈し、第２中間側板部から連設された第２突出片部を左側面側に突出させるための開口部を有する第２内側側板部と、第２前側背面板部又は第２後側背面板部の右辺から折れ線を介して連設され第２外側側板部と第２内側側板部間に設けられた第２中間側板部と、第２中間側板部の内側に領域に切込みを形成することにより形成され第２内側側板部の開口部から左側面側に突出した第２突出片部と、を有する第２側面部と、を有し、
右側本体部と左側本体部のいずれか一方における背面部が他方の背面部内に挿入されるとともに、該一方における正面部が他方の正面部内に挿入され、該一方の底面部の少なくとも一部が該他方の底面部の上面に位置することにより、左側本体部と右側本体部とが互いにスライド可能に形成され、
台部は、左側台部と、左側台部に対してスライドする右側台部とを有し、
左側台部は、１枚のシート状の段ボール製のブランクにより形成されていて、
方形状を呈し、その前後方向の長さが第１底面部の前後方向の長さよりも短く形成された第１上面板部と、
第１上面板部の背面側の辺部から折れ線を介して下方に第１上面板部と略直角に連設され、その高さ方向の長さが第１背面部の高さ方向の長さよりも短く形成された方形状の第１背面板部と、
第１背面板部の下辺から折れ線を介して正面側に連設され、その前後方向の長さが第１上面板部の前後方向の長さよりも短く形成され第１上面板部と略平行に設けられた第１後側底面板部と、
第１後側底面板部の正面側の辺部から折れ線を介して上方に第１背面板部と略平行に連設された第１後側立設板部と、
第１上面板部の正面側の辺部から折れ線を介して下方に連設され、第１背面板部と対称に形成された第１正面板部と、
第１背面板部の下辺から折れ線を介して正面側に連設され、第１後側底面板部と対象に形成された第１前側底面板部と、
第１前側底面板部の正面側の辺部から折れ線を介して上方に第１正面板部と略平行に連設された第１前側立設板部と、
第１上面板部の左辺から連設され、第１上面板部に対して略直角に形成され、第１突出片部が係止するための開口部が設けられた第１側面板部と、
第１側面板部の第１上面板部側とは反対側の辺部から連設され、第１後側底面板部と第１前側底面板部の内側に差し込む第１差込み片部と、を有し、
右側台部は、１枚のシート状の段ボール製のブランクにより形成されていて、
方形状を呈し、その前後方向の長さが第２底面部の前後方向の長さよりも短く形成された第２上面板部と、
第２上面板部の背面側の辺部から折れ線を介して下方に第２上面板部と略直角に連設され、その高さ方向の長さが第２背面部の高さ方向の長さよりも短く形成された方形状の第２背面板部と、
第２背面板部の下辺から折れ線を介して正面側に連設され、その前後方向の長さが第２上面板部の前後方向の長さよりも短く形成され第２上面板部と略平行に設けられた第２後側底面板部と、
第２後側底面板部の正面側の辺部から折れ線を介して上方に第２背面板部と略平行に連設された第２後側立設板部と、
第２上面板部の正面側の辺部から折れ線を介して下方に連設され、第２背面板部と対称に形成された第２正面板部と、
第２背面板部の下辺から折れ線を介して正面側に連設され、第２後側底面板部と対象に形成された第２前側底面板部と、
第２前側底面板部の正面側の辺部から折れ線を介して上方に第２正面板部と略平行に連設された第２前側立設板部と、
第２上面板部の右辺から連設され、第２上面板部に対して略直角に形成され、第２突出片部が係止するための開口部が設けられた第２側面板部と、
第２側面板部の第２上面板部側とは反対側の辺部から連設され、第２後側底面板部と第２前側底面板部の内側に差し込む第２差込み片部と、を有し、
左側台部と右側台部のいずれか一方が他方に挿入されて左側台部と右側台部とが互いにスライド可能に形成され、第１突出片部を第１側面板部の開口部に差し込むとともに第２突出片部を第２側面板部の開口部に差し込むことにより台部が本体部に取り付けられており、
左側本体部と右側本体部における一方の本体部の背面部が他方の本体部の背面部内に挿入され、該一方の本体部の正面部が他方の本体部の正面部内に挿入され、該一方の本体部の底面部の少なくとも一部が該他方の本体部の底面部の上面に位置することにより、左側本体部と右側本体部とが互いにスライド可能としている場合において、該一方の本体部の底面部における該一方の本体部の側面部側とは反対側の辺部から折れ線を介して連設され、該底面部の下面側に折り返して該底面部の下面に接着された帯状の第１底面部脱落防止用片部と、該他方の本体部の底面部における該他方の本体部の側面部側とは反対側の辺部から折れ線を介して連設され、該底面部の上面側に折り返して該底面部の上面に接着された帯状の第２底面部脱落防止用片部とを有するとともに、該一方の本体部の後側背面板部における該一方の本体部の側面部側とは反対側の辺部から折れ線を介して連設され、該後側背面板部の背面側に折り返して該後側背面板部の背面に接着された第１背面部脱落防止用片部と、該他方の本体部の後側背面板部における該他方の本体部の側面部側とは反対側の辺部から折れ線を介して連設され、該後側背面板部の正面側に折り返して該後側背面板部の正面に接着された第２背面部脱落防止用片部とを有し、左側本体部と右側本体部を伸縮棚が伸びる方向に伸ばした際に、該一対の脱落防止用片部が係止することにより、第１底面部脱落防止用片部と第２底面部脱落防止用片部とが係止し、第１背面部脱落防止用片部と第２背面部脱落防止用片部とが係止して左側本体部と右側本体部とが外れるのを防止し、
左側本体部と右側本体部における一方の本体部の背面部が他方の本体部の背面部内に挿入され、該一方の本体部の正面部が他方の本体部の正面部内に挿入され、該一方の本体部の底面部の少なくとも一部が該他方の本体部の底面部の上面に位置することにより、左側本体部と右側本体部とが互いにスライド可能としている場合において、該一方の本体部における後側正面板部の下辺から折れ線を介して背面側に略帯状の水平板部が連設され、該水平板部から後側正面板部と間隔を介して略平行に設けられたスライド用板部が立設し、該他方の本体部の後側正面板部が、該一方の本体部の水平板部と後側正面板部に挟まれた状態でスライドし、
左側台部と右側台部における一方の台部を他方の台部に挿入して左側台部と右側台部とが互いにスライド可能に形成されている場合において、該他方の台部の後側立設板部の上端から折れ線を介して連設され、後側立設板部の正面側に折り返して後側立設板部の正面側に接着された後側立設板部で、その高さ方向の長さが後側立設板部の高さ方向の長さよりも短く形成された後側立設板部と、後側立設板部の下辺から正面側に折れ線を介して連設された帯状の後側架設板部と、該他方の台部の前側立設板部の上端から折れ線を介して連設され、前側立設板部の背面側に折り返して前側立設板部の背面側に接着された前側立設板部で、その高さ方向の長さが前側立設板部の高さ方向の長さよりも短く形成された前側立設板部と、前側立設板部の下辺から正面側に折れ線を介して連設された帯状の前側架設板部とが設けられ、前側架設板部と後側架設板部とが連結され、
左側本体部と右側本体部における一方の本体部の背面部が他方の本体部の背面部内に挿入され、該一方の本体部の正面部が他方の本体部の正面部内に挿入され、該一方の本体部の底面部の少なくとも一部が該他方の本体部の底面部の上面に位置することにより、左側本体部と右側本体部とが互いにスライド可能としている場合において、該他方の本体部において、後側背面板部と前側背面板部の間には、後側背面板部の上辺と前側背面板部の上辺に沿って帯状の帯状板部が後側背面板部と前側背面板部とに折れ線を介して設けられ、前側正面板部と後側正面板部の間には、前側正面板部の上辺と後側正面板部の上辺に沿って帯状の帯状板部が前側正面板部と後側正面板部とに折れ線を介して設けられていることを特徴とする伸縮棚。
【考案の詳細な説明】
【技術分野】
【０００１】
本考案は、伸縮棚に関するものである。
【背景技術】
【０００２】
従来より、伸縮棚としては、特許文献１に示すように、左右方向に伸縮可能な枠体に、枠体の伸縮操作に伴って左右方向に伸縮できるようにした棚を設け、枠体内に枠体被覆カバーを設けたものや、特許文献２に示すように、対向した面に圧接されて取り付けられる基枠部と、基枠部に直交角度方向又は同一角度方向に固定され上側に物を載置する棚部とを備えたものが存在する。
【先行技術文献】
【特許文献】
【０００３】
【特許文献１】特開２０００−２１７６４５号公報
【特許文献２】特開平１０−１９２０７７号公報
【考案の概要】
【考案が解決しようとする課題】
【０００４】
しかし、上記特許文献１、２における伸縮棚においては、廃棄が容易でないという問題があった。また、伸縮棚として従来では使用されない素材を用いることにより、その素材の新たな利用方法が要望されていた。
【０００５】
そこで、本考案が解決しようとする問題点は、伸縮棚において、廃棄が容易なものを提供するとともに、伸縮棚として従来では使用されない素材を用いることにより、その素材の新たな利用方法を提供することである。
【課題を解決するための手段】
【０００６】
本考案は上記問題点を解決するために創作されたものであって、第１には、伸縮棚であって、本体部と、台部とを有し、本体部は、左側本体部と、左側本体部に対してスライドする右側本体部とを有し、左側本体部は、１枚のシート状の紙製のブランクにより形成されていて、方形状で板状の第１底面部と、第１底面部の背面側の辺部から折れ線を介して立設した方形状の第１後側背面板部と、第１後側背面板部の上辺から折れ線を介して連設され第１後側背面板部と略平行に設けられた方形状の第１前側背面板部と、を有する第１背面部と、第１底面部の正面側の辺部から折れ線を介して立設した方形状の第１前側正面板部と、第１前側正面板部の上辺から折れ線を介して連設され第１前側正面板部の背面側に第１前側正面板部と略平行に設けられた方形状の第１後側正面板部と、を有する正面部で、その上端の高さが背面部の上端の高さよりも低く形成された第１正面部と、底面部の左辺から折れ線を介して立設した略台形形状でその上辺が正面側から背面側に向けて上方に傾斜した第１外側側板部と、第１外側側板部の上辺から折れ線を介して右側面側に連設され第１外側側板部の上辺に沿って帯状に形成された第１側面部帯状板部と、第１側面部帯状板部の右側面側の辺部から折れ線を介して連設され第１外側側板部と略平行に設けられた第１内側側板部で、略台形形状でその上辺が正面側から背面側に向けて上方に傾斜した形状を呈し、第１中間側板部から連設された第１突出片部を右側面側に突出させるための開口部を有する第１内側側板部と、第１前側背面板部又は第１後側背面板部の左辺から折れ線を介して連設され第１外側側板部と第１内側側板部間に設けられた第１中間側板部と、第１中間側板部の内側に領域に切込みを形成することにより形成され第１内側側板部の開口部から右側面側に突出した第１突出片部と、を有する第１側面部と、を有し、該右側本体部は、１枚のシート状の紙製のブランクにより形成されていて、方形状で板状の第２底面部で、左辺側の領域が第１底面部の上面に重なって設けられた第２底面部と、第２底面部の背面側の辺部から折れ線を介して立設した方形状の第２後側背面板部と、第２後側背面板部の上辺から折れ線を介して連設され第２後側背面板部と略平行に設けられた方形状の第２前側背面板部と、を有する第２背面部と、第２底面部の正面側の辺部から折れ線を介して立設した方形状の第２前側正面板部と、第２前側正面板部の上辺から折れ線を介して連設され第２前側正面板部の背面側に第２前側正面板部と略平行に設けられた方形状の第２後側正面板部と、を有する正面部で、その上端の高さが背面部の上端の高さよりも低く形成された第２正面部と、底面部の右辺から折れ線を介して立設した略台形形状でその上辺が正面側から背面側に向けて上方に傾斜した第２外側側板部と、第２外側側板部の上辺から折れ線を介して左側面側に連設され第２外側側板部の上辺に沿って帯状に形成された第２側面部帯状板部と、第２側面部帯状板部の左側面側の辺部から折れ線を介して連設され第２外側側板部と略平行に設けられた第２内側側板部で、略台形形状でその上辺が正面側から背面側に向けて上方に傾斜した形状を呈し、第２中間側板部から連設された第２突出片部を左側面側に突出させるための開口部を有する第２内側側板部と、第２前側背面板部又は第２後側背面板部の右辺から折れ線を介して連設され第２外側側板部と第２内側側板部間に設けられた第２中間側板部と、第２中間側板部の内側に領域に切込みを形成することにより形成され第２内側側板部の開口部から左側面側に突出した第２突出片部と、を有する第２側面部と、を有し、右側本体部と左側本体部のいずれか一方における背面部が他方の背面部内に挿入されるとともに、該一方における正面部が他方の正面部内に挿入され、該一方の底面部の少なくとも一部が該他方の底面部の上面に位置することにより、左側本体部と右側本体部とが互いにスライド可能に形成され、台部は、左側台部と、左側台部に対してスライドする右側台部とを有し、左側台部は、１枚のシート状の紙製のブランクにより形成されていて、方形状を呈し、その前後方向の長さが第１底面部の前後方向の長さよりも短く形成された第１上面板部と、第１上面板部の背面側の辺部から折れ線を介して下方に第１上面板部と略直角に連設され、その高さ方向の長さが第１背面部の高さ方向の長さよりも短く形成された方形状の第１背面板部と、第１背面板部の下辺から折れ線を介して正面側に連設され、その前後方向の長さが第１上面板部の前後方向の長さよりも短く形成され第１上面板部と略平行に設けられた第１後側底面板部と、第１後側底面板部の正面側の辺部から折れ線を介して上方に第１背面板部と略平行に連設された第１後側立設板部と、第１上面板部の正面側の辺部から折れ線を介して下方に連設され、第１背面板部と対称に形成された第１正面板部と、第１背面板部の下辺から折れ線を介して正面側に連設され、第１後側底面板部と対象に形成された第１前側底面板部と、第１前側底面板部の正面側の辺部から折れ線を介して上方に第１正面板部と略平行に連設された第１前側立設板部と、第１上面板部の左辺から連設され、第１上面板部に対して略直角に形成され、第１突出片部が係止するための開口部が設けられた第１側面板部と、第１側面板部の第１上面板部側とは反対側の辺部から連設され、第１後側底面板部と第１前側底面板部の内側に差し込む第１差込み片部と、を有し、右側台部は、１枚のシート状の紙製のブランクにより形成されていて、方形状を呈し、その前後方向の長さが第２底面部の前後方向の長さよりも短く形成された第２上面板部と、第２上面板部の背面側の辺部から折れ線を介して下方に第２上面板部と略直角に連設され、その高さ方向の長さが第２背面部の高さ方向の長さよりも短く形成された方形状の第２背面板部と、第２背面板部の下辺から折れ線を介して正面側に連設され、その前後方向の長さが第２上面板部の前後方向の長さよりも短く形成され第２上面板部と略平行に設けられた第２後側底面板部と、第２後側底面板部の正面側の辺部から折れ線を介して上方に第２背面板部と略平行に連設された第２後側立設板部と、第２上面板部の正面側の辺部から折れ線を介して下方に連設され、第２背面板部と対称に形成された第２正面板部と、第２背面板部の下辺から折れ線を介して正面側に連設され、第２後側底面板部と対象に形成された第２前側底面板部と、第２前側底面板部の正面側の辺部から折れ線を介して上方に第２正面板部と略平行に連設された第２前側立設板部と、第２上面板部の右辺から連設され、第２上面板部に対して略直角に形成され、第２突出片部が係止するための開口部が設けられた第２側面板部と、第２側面板部の第２上面板部側とは反対側の辺部から連設され、第２後側底面板部と第２前側底面板部の内側に差し込む第２差込み片部と、を有し、左側台部と右側台部のいずれか一方が他方に挿入されて左側台部と右側台部とが互いにスライド可能に形成され、第１突出片部を第１側面板部の開口部に差し込むとともに第２突出片部を第２側面板部の開口部に差し込むことにより台部が本体部に取り付けられていることを特徴とする。
【０００７】
上記第１の構成の伸縮棚においては、台部が設けられているので、本体部の第１底面板部及び第２底面部の上面のみならず、台部の上面（第１上面板部及び第２上面板部の上面）にも載置することができる。
【０００８】
また、伸縮棚を構成する各部は、紙製のブランクにより形成されているので、廃棄を容易とすることができる。また、伸縮棚を構成する各部が紙製であるので、伸縮棚として従来では使用されない素材を用いることにより、その素材の新たな利用方法を提供することができる。
【０００９】
また、伸縮棚は、伸びた状態と縮めた状態との間で伸縮することができるので、伸縮棚を載置するスペースの広さに応じて伸縮棚の長さを調整することができる。特に、第１突出片部により左側台部が左側本体部に係止され、第２突出片部により右側台部が右側本体部に係止されているので、本体部を伸縮するに伴って台部も伸縮させることができる。
【００１０】
また、左側本体部と右側本体部において、背面部は、前側背面板部と後側背面板部とで二重に形成され、正面部は、前側正面板部と後側正面板部とで二重に形成され、また、側面部は、外側側板部と内側側板部と中間側板部とで三重に形成されているので、紙製のブランクにより形成されていても本体部の強度を十分得ることができる。
【００１１】
また、台部においても、左側台部と右側台部においては、上面板部と、背面板部と、後側底面板部と、後側立設板部と、正面板部と、前側底面板部と、前側立設部とを有し、特に、左側台部と右側台部のそれぞれに一対の立設板部が設けられているので、台部の強度を得ることができる。
【００１２】
また、第２には、上記第１の構成において、左側本体部と右側本体部における一方の本体部の背面部が他方の本体部の背面部内に挿入され、該一方の本体部の正面部が他方の本体部の正面部内に挿入され、該一方の本体部の底面部の少なくとも一部が該他方の本体部の底面部の上面に位置することにより、左側本体部と右側本体部とが互いにスライド可能としている場合において、該一方の本体部の底面部における該一方の本体部の側面部側とは反対側の辺部から折れ線を介して連設され、該底面部の下面側に折り返して該底面部の下面に接着された帯状の第１底面部脱落防止用片部と、該他方の本体部の底面部における該他方の本体部の側面部側とは反対側の辺部から折れ線を介して連設され、該底面部の上面側に折り返して該底面部の上面に接着された帯状の第２底面部脱落防止用片部とを有するとともに、該一方の本体部の後側背面板部における該一方の本体部の側面部側とは反対側の辺部から折れ線を介して連設され、該後側背面板部の背面側に折り返して該後側背面板部の背面に接着された第１背面部脱落防止用片部と、該他方の本体部の後側背面板部における該他方の本体部の側面部側とは反対側の辺部から折れ線を介して連設され、該後側背面板部の正面側に折り返して該後側背面板部の正面に接着された第２背面部脱落防止用片部とを有し、左側本体部と右側本体部を伸縮棚が伸びる方向に伸ばした際に、該一対の脱落防止用片部が係止することにより、第１底面部脱落防止用片部と第２底面部脱落防止用片部とが係止し、第１背面部脱落防止用片部と第２背面部脱落防止用片部とが係止して左側本体部と右側本体部とが外れるのを防止することを特徴とする。よって、本体部を伸ばした状態としても、左側本体部と右側本体部とが脱落することがない。
【００１３】
また、第３には、上記第１又は第２の構成において、左側本体部と右側本体部における一方の本体部の背面部が他方の本体部の背面部内に挿入され、該一方の本体部の正面部が他方の本体部の正面部内に挿入され、該一方の本体部の底面部の少なくとも一部が該他方の本体部の底面部の上面に位置することにより、左側本体部と右側本体部とが互いにスライド可能としている場合において、該一方の本体部における後側正面板部の下辺から折れ線を介して背面側に略帯状の水平板部が連設され、該水平板部から後側正面板部と間隔を介して略平行に設けられたスライド用板部が立設し、該他方の本体部の後側正面板部が、該一方の本体部の水平板部と後側正面板部に挟まれた状態でスライドすることを特徴とする。これにより、左側本体部の正面部と右側本体部の正面部とが円滑にスライドし、結果として、左側本体部と右側本体部とを互いに円滑にスライドさせることができる。
【００１４】
また、第４には、上記第１から第３までのいずれかの構成において、左側台部と右側台部における一方の台部を他方の台部に挿入して左側台部と右側台部とが互いにスライド可能に形成されている場合において、該他方の台部の後側立設板部の上端から折れ線を介して連設され、後側立設板部の正面側に折り返して後側立設板部の正面側に接着された後側接着板部で、その高さ方向の長さが後側立設板部の高さ方向の長さよりも短く形成された後側接着板部と、後側接着板部の下辺から正面側に折れ線を介して連設された帯状の後側架設板部と、該他方の台部の前側立設板部の上端から折れ線を介して連設され、前側立設板部の背面側に折り返して前側立設板部の背面側に接着された前側接着板部で、その高さ方向の長さが前側立設板部の高さ方向の長さよりも短く形成された前側接着板部と、前側接着板部の下辺から正面側に折れ線を介して連設された帯状の前側架設板部とが設けられ、前側架設板部と後側架設板部とが連結されていることを特徴とする。よって、後側架設板部と前側架設板部とを連結させることにより、一対の立設板部を架橋しているので、より強度を強くすることができる。
【００１５】
また、第５には、上記第１から第４までのいずれかの構成において、左側本体部と右側本体部における一方の本体部の背面部が他方の本体部の背面部内に挿入され、該一方の本体部の正面部が他方の本体部の正面部内に挿入され、該一方の本体部の底面部の少なくとも一部が該他方の本体部の底面部の上面に位置することにより、左側本体部と右側本体部とが互いにスライド可能としている場合において、該他方の本体部において、後側背面板部と前側背面板部の間には、後側背面板部の上辺と前側背面板部の上辺に沿って帯状の帯状板部が後側背面板部と前側背面板部とに折れ線を介して設けられ、前側正面板部と後側正面板部の間には、前側正面板部の上辺と後側正面板部の上辺に沿って帯状の帯状板部が前側正面板部と後側正面板部とに折れ線を介して設けられていることを特徴とする。これにより、他方の本体部の背面部や正面部において、一方の本体部における背面部や正面部が挿入される空間を形成することができる。
【００１６】
また、第６には、上記第１から第５までのいずれかの構成において、上記左側本体部と右側本体部と左側台部と右側台部を構成するブランクが段ボール製であることを特徴とする。
【００１７】
また、第７には、伸縮棚であって、本体部と、台部とを有し、本体部は、左側本体部と、左側本体部に対してスライドする右側本体部とを有し、左側本体部は、１枚のシート状の段ボール製のブランクにより形成されていて、方形状で板状の第１底面部と、第１底面部の背面側の辺部から折れ線を介して立設した方形状の第１後側背面板部と、第１後側背面板部の上辺から折れ線を介して連設され第１後側背面板部と略平行に設けられた方形状の第１前側背面板部と、を有する第１背面部と、第１底面部の正面側の辺部から折れ線を介して立設した方形状の第１前側正面板部と、第１前側正面板部の上辺から折れ線を介して連設され第１前側正面板部の背面側に第１前側正面板部と略平行に設けられた方形状の第１後側正面板部と、を有する正面部で、その上端の高さが背面部の上端の高さよりも低く形成された第１正面部と、底面部の左辺から折れ線を介して立設した略台形形状でその上辺が正面側から背面側に向けて上方に傾斜した第１外側側板部と、第１外側側板部の上辺から折れ線を介して右側面側に連設され第１外側側板部の上辺に沿って帯状に形成された第１側面部帯状板部と、第１側面部帯状板部の右側面側の辺部から折れ線を介して連設され第１外側側板部と略平行に設けられた第１内側側板部で、略台形形状でその上辺が正面側から背面側に向けて上方に傾斜した形状を呈し、第１中間側板部から連設された第１突出片部を右側面側に突出させるための開口部を有する第１内側側板部と、第１前側背面板部又は第１後側背面板部の左辺から折れ線を介して連設され第１外側側板部と第１内側側板部間に設けられた第１中間側板部と、第１中間側板部の内側に領域に切込みを形成することにより形成され第１内側側板部の開口部から右側面側に突出した第１突出片部と、を有する第１側面部と、を有し、該右側本体部は、１枚のシート状の段ボール製のブランクにより形成されていて、方形状で板状の第２底面部で、左辺側の領域が第１底面部の上面に重なって設けられた第２底面部と、第２底面部の背面側の辺部から折れ線を介して立設した方形状の第２後側背面板部と、第２後側背面板部の上辺から折れ線を介して連設され第２後側背面板部と略平行に設けられた方形状の第２前側背面板部と、を有する第２背面部と、第２底面部の正面側の辺部から折れ線を介して立設した方形状の第２前側正面板部と、第２前側正面板部の上辺から折れ線を介して連設され第２前側正面板部の背面側に第２前側正面板部と略平行に設けられた方形状の第２後側正面板部と、を有する正面部で、その上端の高さが背面部の上端の高さよりも低く形成された第２正面部と、底面部の右辺から折れ線を介して立設した略台形形状でその上辺が正面側から背面側に向けて上方に傾斜した第２外側側板部と、第２外側側板部の上辺から折れ線を介して左側面側に連設され第２外側側板部の上辺に沿って帯状に形成された第２側面部帯状板部と、第２側面部帯状板部の左側面側の辺部から折れ線を介して連設され第２外側側板部と略平行に設けられた第２内側側板部で、略台形形状でその上辺が正面側から背面側に向けて上方に傾斜した形状を呈し、第２中間側板部から連設された第２突出片部を左側面側に突出させるための開口部を有する第２内側側板部と、第２前側背面板部又は第２後側背面板部の右辺から折れ線を介して連設され第２外側側板部と第２内側側板部間に設けられた第２中間側板部と、第２中間側板部の内側に領域に切込みを形成することにより形成され第２内側側板部の開口部から左側面側に突出した第２突出片部と、を有する第２側面部と、を有し、右側本体部と左側本体部のいずれか一方における背面部が他方の背面部内に挿入されるとともに、該一方における正面部が他方の正面部内に挿入され、該一方の底面部の少なくとも一部が該他方の底面部の上面に位置することにより、左側本体部と右側本体部とが互いにスライド可能に形成され、台部は、左側台部と、左側台部に対してスライドする右側台部とを有し、左側台部は、１枚のシート状の段ボール製のブランクにより形成されていて、方形状を呈し、その前後方向の長さが第１底面部の前後方向の長さよりも短く形成された第１上面板部と、第１上面板部の背面側の辺部から折れ線を介して下方に第１上面板部と略直角に連設され、その高さ方向の長さが第１背面部の高さ方向の長さよりも短く形成された方形状の第１背面板部と、第１背面板部の下辺から折れ線を介して正面側に連設され、その前後方向の長さが第１上面板部の前後方向の長さよりも短く形成され第１上面板部と略平行に設けられた第１後側底面板部と、第１後側底面板部の正面側の辺部から折れ線を介して上方に第１背面板部と略平行に連設された第１後側立設板部と、第１上面板部の正面側の辺部から折れ線を介して下方に連設され、第１背面板部と対称に形成された第１正面板部と、第１背面板部の下辺から折れ線を介して正面側に連設され、第１後側底面板部と対象に形成された第１前側底面板部と、第１前側底面板部の正面側の辺部から折れ線を介して上方に第１正面板部と略平行に連設された第１前側立設板部と、第１上面板部の左辺から連設され、第１上面板部に対して略直角に形成され、第１突出片部が係止するための開口部が設けられた第１側面板部と、第１側面板部の第１上面板部側とは反対側の辺部から連設され、第１後側底面板部と第１前側底面板部の内側に差し込む第１差込み片部と、を有し、右側台部は、１枚のシート状の段ボール製のブランクにより形成されていて、方形状を呈し、その前後方向の長さが第２底面部の前後方向の長さよりも短く形成された第２上面板部と、第２上面板部の背面側の辺部から折れ線を介して下方に第２上面板部と略直角に連設され、その高さ方向の長さが第２背面部の高さ方向の長さよりも短く形成された方形状の第２背面板部と、第２背面板部の下辺から折れ線を介して正面側に連設され、その前後方向の長さが第２上面板部の前後方向の長さよりも短く形成され第２上面板部と略平行に設けられた第２後側底面板部と、第２後側底面板部の正面側の辺部から折れ線を介して上方に第２背面板部と略平行に連設された第２後側立設板部と、第２上面板部の正面側の辺部から折れ線を介して下方に連設され、第２背面板部と対称に形成された第２正面板部と、第２背面板部の下辺から折れ線を介して正面側に連設され、第２後側底面板部と対象に形成された第２前側底面板部と、第２前側底面板部の正面側の辺部から折れ線を介して上方に第２正面板部と略平行に連設された第２前側立設板部と、第２上面板部の右辺から連設され、第２上面板部に対して略直角に形成され、第２突出片部が係止するための開口部が設けられた第２側面板部と、第２側面板部の第２上面板部側とは反対側の辺部から連設され、第２後側底面板部と第２前側底面板部の内側に差し込む第２差込み片部と、を有し、左側台部と右側台部のいずれか一方が他方に挿入されて左側台部と右側台部とが互いにスライド可能に形成され、第１突出片部を第１側面板部の開口部に差し込むとともに第２突出片部を第２側面板部の開口部に差し込むことにより台部が本体部に取り付けられており、左側本体部と右側本体部における一方の本体部の背面部が他方の本体部の背面部内に挿入され、該一方の本体部の正面部が他方の本体部の正面部内に挿入され、該一方の本体部の底面部の少なくとも一部が該他方の本体部の底面部の上面に位置することにより、左側本体部と右側本体部とが互いにスライド可能としている場合において、該一方の本体部の底面部における該一方の本体部の側面部側とは反対側の辺部から折れ線を介して連設され、該底面部の下面側に折り返して該底面部の下面に接着された帯状の第１底面部脱落防止用片部と、該他方の本体部の底面部における該他方の本体部の側面部側とは反対側の辺部から折れ線を介して連設され、該底面部の上面側に折り返して該底面部の上面に接着された帯状の第２底面部脱落防止用片部とを有するとともに、該一方の本体部の後側背面板部における該一方の本体部の側面部側とは反対側の辺部から折れ線を介して連設され、該後側背面板部の背面側に折り返して該後側背面板部の背面に接着された第１背面部脱落防止用片部と、該他方の本体部の後側背面板部における該他方の本体部の側面部側とは反対側の辺部から折れ線を介して連設され、該後側背面板部の正面側に折り返して該後側背面板部の正面に接着された第２背面部脱落防止用片部とを有し、左側本体部と右側本体部を伸縮棚が伸びる方向に伸ばした際に、該一対の脱落防止用片部が係止することにより、第１底面部脱落防止用片部と第２底面部脱落防止用片部とが係止し、第１背面部脱落防止用片部と第２背面部脱落防止用片部とが係止して左側本体部と右側本体部とが外れるのを防止し、左側本体部と右側本体部における一方の本体部の背面部が他方の本体部の背面部内に挿入され、該一方の本体部の正面部が他方の本体部の正面部内に挿入され、該一方の本体部の底面部の少なくとも一部が該他方の本体部の底面部の上面に位置することにより、左側本体部と右側本体部とが互いにスライド可能としている場合において、該一方の本体部における後側正面板部の下辺から折れ線を介して背面側に略帯状の水平板部が連設され、該水平板部から後側正面板部と間隔を介して略平行に設けられたスライド用板部が立設し、該他方の本体部の後側正面板部が、該一方の本体部の水平板部と後側正面板部に挟まれた状態でスライドし、左側台部と右側台部における一方の台部を他方の台部に挿入して左側台部と右側台部とが互いにスライド可能に形成されている場合において、該他方の台部の後側立設板部の上端から折れ線を介して連設され、後側立設板部の正面側に折り返して後側立設板部の正面側に接着された後側立設板部で、その高さ方向の長さが後側立設板部の高さ方向の長さよりも短く形成された後側立設板部と、後側立設板部の下辺から正面側に折れ線を介して連設された帯状の後側架設板部と、該他方の台部の前側立設板部の上端から折れ線を介して連設され、前側立設板部の背面側に折り返して前側立設板部の背面側に接着された前側立設板部で、その高さ方向の長さが前側立設板部の高さ方向の長さよりも短く形成された前側立設板部と、前側立設板部の下辺から正面側に折れ線を介して連設された帯状の前側架設板部とが設けられ、前側架設板部と後側架設板部とが連結され、左側本体部と右側本体部における一方の本体部の背面部が他方の本体部の背面部内に挿入され、該一方の本体部の正面部が他方の本体部の正面部内に挿入され、該一方の本体部の底面部の少なくとも一部が該他方の本体部の底面部の上面に位置することにより、左側本体部と右側本体部とが互いにスライド可能としている場合において、該他方の本体部において、後側背面板部と前側背面板部の間には、後側背面板部の上辺と前側背面板部の上辺に沿って帯状の帯状板部が後側背面板部と前側背面板部とに折れ線を介して設けられ、前側正面板部と後側正面板部の間には、前側正面板部の上辺と後側正面板部の上辺に沿って帯状の帯状板部が前側正面板部と後側正面板部とに折れ線を介して設けられていることを特徴とする。
【考案の効果】
【００１８】
本考案に基づく伸縮棚によれば、台部が設けられているので、本体部の第１底面板部及び第２底面部の上面のみならず、台部の上面（第１上面板部及び第２上面板部の上面）にも載置することができる。
【００１９】
また、伸縮棚を構成する各部は、紙製のブランクにより形成されているので、廃棄を容易とすることができる。また、伸縮棚を構成する各部が紙製であるので、伸縮棚として従来では使用されない素材を用いることにより、その素材の新たな利用方法を提供することができる。
【００２０】
また、伸縮棚は、伸びた状態と縮めた状態との間で伸縮することができるので、伸縮棚を載置するスペースの広さに応じて伸縮棚の長さを調整することができる。特に、第１突出片部により左側台部が左側本体部に係止され、第２突出片部により右側台部が右側本体部に係止されているので、本体部を伸縮するに伴って台部も伸縮させることができる。
【００２１】
また、左側本体部と右側本体部において、背面部は、前側背面板部と後側背面板部とで二重に形成され、正面部は、前側正面板部と後側正面板部とで二重に形成され、また、側面部は、外側側板部と内側側板部と中間側板部とで三重に形成されているので、紙製のブランクにより形成されていても本体部の強度を十分得ることができる。
【００２２】
また、台部においても、左側台部と右側台部においては、上面板部と、背面板部と、後側底面板部と、後側立設板部と、正面板部と、前側底面板部と、前側立設部とを有し、特に、左側台部と右側台部のそれぞれに一対の立設板部が設けられているので、台部の強度を得ることができる。
【図面の簡単な説明】
【００２３】
【図１】伸縮棚の前方斜視図である。
【図２】伸縮棚の前方分解斜視図である。
【図３】伸縮棚を縮めた状態の前方斜視図である。
【図４】伸縮棚の後方斜視図である。
【図５】伸縮棚を縮めた状態の後方斜視図である。
【図６】伸縮棚の要部後方斜視図である。
【図７】本体部の分解斜視図である。
【図８】台部の分解斜視図である。
【図９】左側台部を上下逆にした状態の斜視図である。
【図１０】右側台部を上下逆にした状態の斜視図である。
【図１１】左側本体部の展開図である。
【図１２】右側本体部の展開図である。
【図１３】左側台部の展開図である。
【図１４】右側台部の展開図である。
【図１５】左側本体部の組立て過程を示す斜視図である。
【図１６】右側本体部の組立て過程を示す斜視図である。
【図１７】左側台部の組立て過程を示す斜視図である。
【図１８】左側台部の組立て過程を示す斜視図である。
【図１９】右側台部の組立て過程を示す斜視図である。
【考案を実施するための形態】
【００２４】
本考案においては、廃棄が容易な伸縮棚を提供するとともに、伸縮棚として従来では使用されない素材を用いることにより、その素材の新たな利用方法を提供するという目的を以下のようにして実現した。
【００２５】
本考案に基づく伸縮棚５は、図１〜図１４に示すように構成され、本体部１０と、本体部１０に取り付けられた台部１１０とを有している。なお、図面において、Ｙ１−Ｙ２方向は、Ｘ１−Ｘ２方向に直角な方向であり、Ｚ１−Ｚ２方向は、Ｘ１−Ｘ２方向及びＹ１−Ｙ２方向に直角な方向である。
【００２６】
ここで、本体部１０は、本体部１０の正面視において左側を構成する左側本体部２０と、右側を構成する右側本体部６０とを有している。
【００２７】
左側本体部２０は、図１〜図７に示すように、底面部（第１底面部）２２と、底面部２２の背面側の端部から立設した背面部（第１背面部）２５と、底面部２２の正面側の端部から立設した正面部（第１正面部）４５と、底面部２２の左側の端部から立設した側面部（第１側面部）３１とを有している。側面部３１からは左側台部１２０を係止するための突出片部４０が内側に突出して設けられている。
【００２８】
底面部２２と背面部２５と正面部４５とはともに略方形状の板状を呈するが、背面部２５の高さ方向の長さは正面部４５の高さ方向の長さよりも長く形成されている。背面部２５は、右側本体部６０の背面部６５を挿入可能なように略断面コ字状に形成されている。また、正面部４５は、右側本体部６０の正面部８５を挿入可能なように断面略コ字状に形成されている。また、側面部３１は、略台形形状の板状に形成され、正面側から背面側にいくに従い高さ方向の長さが長くなるようにその上端が底面部２２に対して傾斜して形成されている。
【００２９】
左側本体部２０の詳細を図１１を用いて説明すると、左側本体部２０は、１枚のシート状のブランク（具体的には、段ボール）により形成されていて、底面部２２と、脱落防止用板部（第１底面部脱落防止用板部）２４と、後側背面板部（第１後側背面板部）２６と、脱落防止用板部（第１背面部脱落防止用板部）２８と、帯状板部２９と、前側背面板部（第１前側背面板部）３０と、外側側板部（第１外側側板部）３２と、帯状板部（第１側面部帯状板部）３４と、内側側板部（第１内側側板部）３６と、中間側板部（第１中間側板部）３８と、突出片部（第１突出片部）４０と、連設側板部４２と、連設側板部４４と、前側正面板部（第１前側正面板部）４６と、帯状板部４７と、後側正面板部（第１後側正面板部）４８と、連設板部５０と、連設板部５２と、連設板部５４とを有している。
【００３０】
ここで、底面部２２は、方形状（長方形状）の板状であり、そのＸ１側の辺部に沿って一対の長方形状の穴部２２ａが間隔を介して設けられている。この穴部２２ａは、内側側板部３６の下端の突出部３６ａを差し込むためのものである。また、脱落防止用板部２４は、底面部２２の一方の短手辺（Ｘ２側の辺部）から折れ線を介して連設されている。脱落防止用板部２４は、底面部２２の短手辺に沿って帯状に形成されている。この脱落防止用板部２４は、底面部２２に対して折り曲げて底面部２２の上面（組立て状態における上面）に接着される。すなわち、脱落防止用板部２４のハッチングに示す箇所（図１１参照）に接着剤を塗布して底面部２２の上面に接着させる。
【００３１】
また、後側背面板部２６は、底面部２２の背面側の端部（背面側の長辺）から折れ線を介して連設され、方形状（長方形状）を呈している。また、脱落防止用板部２８は、方形状を呈し、後側背面板部２６のＸ２側の辺部のＹ２側の端部領域から折れ線を介して設けられている。この脱落防止用板部２８は、後側背面板部２６に対して折り曲げて後側背面板部２６の正面側の面（組立て状態における正面側の面）に接着される。すなわち、脱落防止用板部２８のハッチングに示す箇所（図１１参照）に接着剤を塗布して後側背面板部２６の正面側の面に接着させる。また、帯状板部２９は、後側背面板部２６のＹ２側の辺部から折れ線を介して連設され、帯状を呈している。なお、この帯状板部２９の構成を省略してもよい。また、前側背面板部３０は、帯状板部２９のＹ２側の辺部から折れ線を介して連設され、方形状（長方形状）をなし、後側背面板部２６と略同大同形状に形成されている（厳密には若干小さく形成されている）。この後側背面板部２６と帯状板部２９と前側背面板部３０とで背面部２５が構成され、組立て状態においては、断面略コ字状に形成されている。
【００３２】
また、外側側板部３２は、底面部２２のＸ１側の辺部から折れ線を介して連設され、略台形形状を呈している。つまり、外側側板部３２の底面部２２とは反対側の辺部は、底面部２２のＸ１側の辺部に対して傾斜して形成されている。また、帯状板部３４は、外側側板部３２の該傾斜した辺部から折れ線を介して連設され、帯状を呈している。この帯状板部３４は、外側側板部３２と内側側板部３６間に中間側板部３８や連設側板部４２、４４を設けるための空間を形成するために設けられている。なお、この帯状板部３４の構成を省略してもよい。また、内側側板部３６は、帯状板部３４の外側側板部３２とは反対側の辺部から折れ線を介して連設され、略台形形状を呈している。つまり、内側側板部３６は、外側側板部３２と略同大同形状に形成され（厳密には若干小さく形成されている）、帯状板部３４とは反対側の辺部からは長方形状の突出部３６ａが形成されている。また、内側側板部３６には、突出片部４０が突出するための縦長の開口部３６ｂが形成されている。
【００３３】
また、前側背面板部３０のＸ１側の辺部からは中間側板部３８が折れ線を介して連設されている。この中間側板部３８は、台形形状の一部を欠切した外形をなし、すなわち、台形形状から連設板部５０が配置されるように略方形状の切欠部３８ａを形成した形状をなしている。欠切箇所は、左側本体部２０の組立て状態において、正面側の下端領域である。また、中間側板部３８の内部には、切込み４０ａと該切込み４０ａの２つの端部間に形成された折れ線とにより突出片部４０が形成されている。この突出片部４０を中間側板部３８に対して折り曲げた際には、突出片部４０と中間側板部３８との間の上側に溝部が形成され、この溝部に左側台部１２０が係止するようになっている。
【００３４】
また、連設側板部４２は、外側側板部３２のＹ２側の辺部から折れ線を介して連設され、略三角形状を呈している。また、連設側板部４４は、後側背面板部２６のＸ１側の辺部から折れ線を介して連設され、略三角形状を呈し、連設側板部４２とも折れ線を介して連設されている。この連設側板部４２、４４は、図１５に示すように、外側側板部３２と内側側板部３６間に折り畳まれて収納される。
【００３５】
また、前側正面板部４６は、底面部２２のＹ１側の端部から折れ線を介して連設され、略長方形状を呈している。また、帯状板部４７は、正面板部４６の底面部２２側とは反対側の辺部から折れ線を介して連設され、帯状を呈している。なお、この帯状板部４７の構成を省略してもよい。また、後側正面板部４８は、帯状板部４７の前側正面板部４６側とは反対側の辺部から折れ線を介して連設され、略長方形状を呈している。つまり、後側正面板部４８は、前側正面板部４６と同大同形状に（厳密には、若干小さく）形成されている。前側正面板部４６と帯状板部４７と後側正面板部４８とで正面部４５が構成され、組立て状態においては、断面略コ字状に形成されている。
【００３６】
また、連設板部５０は、後側正面板部４８のＸ１側の辺部から折れ線を介して連設され、略方形状を呈している。この連設板部５０は、左側本体部２０の組立て状態においては、中間側板部３８の切欠部３８ａ内に配置され、外側側板部３２と内側側板部３６間に挟まれた状態となる。また、連設側板部５２は、前側正面板部４６のＸ１側の辺部から折れ線を介して連設され、略三角形状を呈している。また、連設側板部５４は、外側側板部３２のＹ１側の辺部から折れ線を介して連設され、略三角形状を呈し、連設側板部５２とも折れ線を介して連設されている。この連設側板部５２、５４は、図１５に示すように、外側側板部３２と連設板部５０間に折り畳まれて収納される。
【００３７】
この左側本体部２０を組み立てる際には、脱落防止用板部２４を底面部２２の上面（組立て状態における上面）に接着し、脱落防止用板部２８を後側背面板部２６の正面側（組立て状態における正面側）に接着しておき、図１５に示すように、後側背面板部２６を底面部２２に対して折り曲げて立設させるとともに、帯状板部２９を後側背面板部２６に対して折り曲げ、さらに、前側背面板部３０を帯状板部２９に対して折り曲げて、後側背面板部２６と前側背面板部３０が平行になるようにする。また、前側正面板部４６を底面部２２に対して折り曲げて立設させるとともに、帯状板部４７を前側正面板部４６に対して折り曲げ、さらに、後側正面板部４８を帯状板部４７に対して折り曲げて、前側正面板部４６と後側正面板部４８とが平行になるようにする。
【００３８】
さらに、中間側板部３８を前側背面板部３０に対して折り曲げるとともに、連設板部５０を後側正面板部４８に対して折り曲げ、また、連設側板部４２と連設側板部４４とが重なるように内側に折り曲げるとともに、連設板部５２と連設板部５４とが重なるように内側に折り曲げて、外側側板部３２を底面部２２に対して立設させ、内側側板部３６を中間側板部３８の内側に配置させて、突出部３６ａを底面部２２の開口部２２ａに嵌合させる。その際、突出片部４０は開口部３６ｂから露出させる。これにより、突出片部４０は、内側側板部３６に対して直角に突出した状態となる。以上のようにして、左側本体部２０が形成される。
【００３９】
右側本体部６０は、図１〜図７に示すように、底面部（第２底面部）６２と、底面部６２の背面側の端部から立設した背面部（第２背面部）６５と、底面部６２の正面側の端部から立設した正面部（第２正面部）８５と、底面部６２の右側の端部から立設した側面部（第２側面部）７１とを有している。側面部７１からは右側台部１６０を係止するための突出片部８０が内側に突出して設けられている。
【００４０】
底面部６２と背面部６５と正面部８５とはともに略方形状の板状を呈するが、背面部６５の高さ方向の長さは正面部８５の高さ方向の長さよりも長く形成されている。また、側面部７１は、略台形形状の板状に形成され、正面側から背面側にいくに従い高さ方向の長さが長くなるようにその上端が底面部６２に対して傾斜して形成されている。
【００４１】
右側本体部６０の詳細を図１２を用いて説明すると、右側本体部６０は、１枚のシート状のブランク（具体的には、段ボール）により形成されていて、底面部６２と、脱落防止用板部（第２底面部脱落防止用板部）６４と、後側背面板部（第２後側背面板部）６６と、脱落防止用板部（第２背面部脱落防止用板部）６８と、前側背面板部（第２前側背面板部）７０と、外側側板部（第２外側側板部）７２と、帯状板部（第２側面部帯状板部）７４と、内側側板部（第２内側側板部）７６と、中間側板部（第２中間側板部）７８と、突出片部（第２突出片部）８０と、連設側板部８２と、連設側板部８４と、前側正面板部（第２前側正面板部）８６と、後側正面板部（第２後側正面板部）８８と、水平板部９０と、スライド用板部９２と、連設板部９４と、連設板部９６と、連設板部９８とを有している。
【００４２】
ここで、底面部６２は、方形状（長方形状）の板状であり、そのＸ２側の辺部に沿って一対の長方形状の穴部６２ａが間隔を介して設けられている。この穴部６２ａは、内側側板部７６の下端の突出部７６ａを差し込むためのものである。底面部６２のＹ１−Ｙ２方向の長さは、背面部６５が左側本体部２０の背面部２５内に挿入され、正面部８５が左側本体部２０の正面部４５内に挿入されるので、底面部２２のＹ１−Ｙ２方向の長さよりも若干短く形成されている。また、脱落防止用板部６４は、底面部６２の一方の短手辺（Ｘ１側の辺部）から折れ線を介して連設されている。脱落防止用板部６４は、底面部６２の短手辺に沿って帯状に形成されている。この脱落防止用板部６４は、底面部６２に対して折り曲げて底面部６２の下面（組立て状態における下面）に接着される。すなわち、脱落防止用板部６４のハッチングに示す箇所（図１２参照）に接着剤を塗布して底面部６２の下面に接着させる。
【００４３】
また、後側背面板部６６は、底面部６２の背面側の端部（背面側の長辺）から折れ線を介して連設され、方形状（長方形状）を呈している。なお、後側背面部６６のＹ１−Ｙ２方向の長さは、背面部６５が左側本体部２０の背面部２５内に挿入されるので、後側背面部２６のＹ１−Ｙ２方向の長さよりも若干短く形成されている。また、脱落防止用板部６８は、方形状を呈し、後側背面板部６６のＸ１側の辺部のＹ２側の端部領域から折れ線を介して設けられている。この脱落防止用板部６８は、後側背面板部６６に対して折り曲げて後側背面板部６６の背面側の面（組立て状態における背面側の面）に接着される。すなわち、脱落防止用板部６８のハッチングに示す箇所（図１２参照）に接着剤を塗布して後側背面板部６６の背面側の面に接着させる。
【００４４】
また、前側背面板部７０は、後側背面板部６６のＹ２側の辺部から折れ線を介して連設され、方形状（長方形状）をなし、後側背面板部６６と略同大同形状に形成されている（厳密には若干小さく形成されている）。なお、前側背面板部７０のＹ１−Ｙ２方向の長さは、背面部６５が左側本体部２０の背面部２５内に挿入されるので、前側背面部３０のＹ１−Ｙ２方向の長さよりも若干短く形成されている。この後側背面板部６６と前側背面板部７０とで背面部６５が構成される。
【００４５】
また、外側側板部７２は、底面部６２のＸ２側の辺部から折れ線を介して連設され、略台形形状を呈している。つまり、外側側板部７２の底面部６２とは反対側の辺部は、底面部６２のＸ２側の辺部に対して傾斜して形成されている。また、帯状板部７４は、外側側板部７２の該傾斜した辺部から折れ線を介して連設され、帯状を呈している。この帯状板部７４は、外側側板部７２と内側側板部７６間に中間側板部７８や連設側板部８２、８４を設けるための空間を形成するために設けられている。なお、この帯状板部７４の構成を省略してもよい。また、内側側板部７６は、帯状板部７４の外側側板部７２とは反対側の辺部から折れ線を介して連設され、略台形形状を呈している。つまり、内側側板部７６は、外側側板部７２と略同大同形状に形成され（厳密には若干小さく形成されている）、帯状板部７４とは反対側の辺部からは長方形状の突出部７６ａが形成されている。また、内側側板部７６には、突出片部８０が突出するための縦長の開口部７６ｂが形成されている。
【００４６】
また、前側背面板部７０のＸ２側の辺部からは中間側板部７８が折れ線を介して連設されている。この中間側板部７８は、台形形状の一部を欠切した外形をなし、すなわち、台形形状から連設板部９４が配置されるように略方形状の切欠部７８ａを形成した形状をなしている。欠切箇所は、右側本体部６０の組立て状態において、正面側の下端領域である。また、中間側板部７８の内部には、切込み８０ａと該切込み８０ａの２つの端部間に形成された折れ線とにより突出片部８０が形成されている。この突出片部８０を中間側板部７８に対して折り曲げた際には、突出片部８０と中間側板部７８との間の上側に溝部が形成され、この溝部に右側台部１６０が係止するようになっている。
【００４７】
また、連設側板部８２は、外側側板部７２のＹ２側の辺部から折れ線を介して連設され、略三角形状を呈している。また、連設側板部８４は、後側背面板部６６のＸ２側の辺部から折れ線を介して連設され、略三角形状を呈し、連設側板部８２とも折れ線を介して連設されている。この連設側板部８２、８４は、図１６に示すように、外側側板部７２と内側側板部７６間に折り畳まれて収納される。
【００４８】
また、前側正面板部８６は、底面部６２のＹ１側の端部から折れ線を介して連設され、略長方形状を呈している。また、後側正面板部８８は、前側正面板部８６の底面部６２側とは反対側の辺部から折れ線を介して連設され、略長方形状からスライド用板部９２の領域を除いた形状を呈している。つまり、後側正面板部８８は、前側正面板部８６と同大同形状（厳密には、若干小さく）の外形を呈するが、切込みによりスライド用板部９２が設けられているので、その領域を除いた形状となっている。前側正面板部８６と後側正面板部８８とで正面部８５が構成される。後側正面板部８８は、ハッチングに示す箇所（図１２参照）に接着剤を塗布して、前側正面板部８６の背面側に接着される。
【００４９】
また、水平板部９０は、後側正面板部８８の前側正面板部８６側とは反対側の辺部から折れ線を介して連設され、帯状を呈している。
【００５０】
また、スライド用板部９２は、折れ線９２ａと切込み９２ｂに囲まれて形成され、直線状の折れ線９２ａは、水平板部９０と後側正面板部８８間の境界線よりもＹ１側に形成され、切込み９２ｂは、折れ線９２ａとでスライド用板部９２が帯状となるように、直線部と直線部の両側から折れ線側に形成された端部とから形成されている。右側本体部６０の組立て状態においては、水平板部９０は、後側正面板部８８に対して直角となり、スライド用板部９２は、水平板部９０に対して直角となるので、スライド用板部９２と後側正面板部８８とは互いに平行となり、また、折れ線９２ａは、水平板部９０と後側正面板部８８間の境界線よりもＹ１側にずれているので、、スライド用板部９２と後側正面板部８８とは間隔を介して互いに平行となる。これにより、左側本体部２０の後側正面板部４８は、スライド用板部９２と後側正面板部８８間に挟まれた状態でスライドすることになる。
【００５１】
また、連設板部９４は、後側正面板部８８のＸ２側の辺部から折れ線を介して連設され、略方形状を呈している。この連設板部９４は、右側本体部６０の組立て状態においては、中間側板部７８の切欠部７８ａ内に配置され、外側側板部７２と内側側板部７６間に挟まれた状態となる。また、連設側板部９６は、前側正面板部８６のＸ２側の辺部から折れ線を介して連設され、略三角形状を呈している。また、連設側板部９８は、外側側板部７２のＹ１側の辺部から折れ線を介して連設され、略三角形状を呈し、連設側板部９６とも折れ線を介して連設されている。この連設側板部９４、９６は、図１６に示すように、外側側板部７２と連設板部９４間に折り畳まれて収納される。
【００５２】
この右側本体部６０を組み立てる際には、脱落防止用板部６４を底面部６２の下面（組立て状態における下面）に接着し、脱落防止用板部６８を後側背面板部６６の背面側（組立て状態における背面側）に接着しておき、図１６に示すように、後側背面板部６６を底面部６２に対して折り曲げて立設させるとともに、前側背面板部７０を後側背面板部６６に対して折り曲げ、後側背面板部６６と前側背面板部７０が平行になるようにする。また、前側正面板部８６を底面部６２に対して折り曲げて立設させるとともに、後側正面板部８８を前側正面板部８６に対して折り曲げ、後側正面板部８８を前側正面板部８６に接着し、水平板部９０を後側正面板部８８に対して折り曲げ、さらに、スライド用板部９２を水平板部９０に対して折り曲げる。このようにして、後側正面板部８８とスライド用板部９２とが間隔を介して平行になるようにする。
【００５３】
さらに、中間側板部７８を前側背面板部７０に対して折り曲げるとともに、連設板部９４を後側正面板部８８に対して折り曲げ、また、連設側板部８２と連設側板部８４とが重なるように内側に折り曲げるとともに、連設板部９８と連設板部９６とが重なるように内側に折り曲げて、外側側板部７２を底面部６２に対して立設させ、内側側板部７６を中間側板部７８の内側に配置させて、突出部７６ａを底面部６２の穴部６２ａに嵌合させる。その際、突出片部８０は開口部７６ｂから露出させる。これにより、突出片部８０は、内側側板部７６に対して直角に突出した状態となる。以上のようにして、右側本体部６０が形成される。
【００５４】
また、本体部１０を組み立てる際には、右側本体部６０の背面部６５を左側本体部２０の背面部２５内に挿入し、右側本体部６０の正面部８５を左側本体部２０の正面部４５内に挿入し、右側本体部６０の底面部６２は左側本体部２０の底面部２２の上面に接した状態とする。また、後側正面板部４８は、図６に示すように、後側正面板部８８とスライド用板部９２に挟まれた状態とする。
【００５５】
よって、本体部１０を組み立てた状態では、左側本体部２０と右側本体部６０とは、互いにスライド可能となる。また、後側正面板部４８は、後側正面板部８８とスライド用板部９２に挟まれた状態となるので、正面部４５と正面部８５とががたつくことがなく、正面部４５と正面部８５とが互いに円滑にスライドする。
【００５６】
また、本体部１０が全体に最も伸びた状態では、背面部２５と背面部６５においては、脱落防止用板部２８と脱落防止用板部６８とが接触するので、背面部２５と背面部６５とが互いに脱落することがない。同様に、底面部２２と底面部６２においては、脱落防止用板部２４と脱落防止用板部６４とが接触するので、底面部２２と底面部６２とが互いに脱落することがない。よって、本体部１０を伸ばした状態としても、左側本体部２０と右側本体部６０とが脱落することがない。
【００５７】
また、台部１１０は、本体部１０内に伸縮自在に設けられ、台部１１０の正面視において左側を構成する左側台部１２０と、右側を構成する右側台部１６０とを有している。
【００５８】
左側台部１２０は、図１、図２、図８、図９に示すように全体に略箱状を呈し、左側台部１２０の高さ方向の長さは、左側台部１２０を左側本体部２０内に設置した際に、左側台部１２０の上端が左側本体部２０の背面部２５の上端よりも低くなるような長さに形成され、また、左側台部１２０の前後方向の長さは、左側台部１２０を左側本体部２０内に設置した際に、左側本体部２０の正面部４５と左側台部１２０間に間隔が形成されるような長さに形成されている。また、左側台部１２０の左側面には、突出片部４０を係止するための開口部１４７が形成されている。
【００５９】
左側台部１２０の詳細を図１３を用いて説明すると、左側台部１２０は、１枚のシート状のブランク（具体的には、段ボール）により形成されていて、上面板部（第１上面板部）１２２と、背面板部（第１背面板部）１２４と、底面板部（第１後側底面板部）１２６と、後側立設板部（第１後側立設板部）１２８と、後側接着板部１３０と、後側架設板部１３２と、正面板部（第１正面板部）１３４と、底面板部（第１前側底面板部）１３６と、前側立設板部（第１前側立設板部）１３８と、前側接着板部１４０と、前側架設板部１４２と、差込み片部１４４と、側面板部（第１側面板部）１４６と、差込み片部１４８と、フラップ部１５０、１５２と、差込み片部１５４、１５６とを有している。
【００６０】
上面板部１２２は、長方形状の板状を呈し、左側台部１２０の組立て状態においては、左側台部１２０の上面を形成する。また、背面板部１２４は、上面板部１２２のＹ２側の辺部から折れ線を介して連設され、長方形状を呈していて、横方向（Ｘ１−Ｘ２方向）の長さは上面板部１２２と同じに形成されている。この背面板部１２４は、左側台部１２０の組立て状態においては、左側台部１２０の背面を構成し、上面板部１２２と略直角となる。また、底面板部１２６は、背面板部１２４のＹ２側の辺部から折れ線を介して連設され、細長の略長方形状を呈している。すなわち、図１３に示すように、角部には差込み片部１５４が設けられているので、その部分においては、方形状の切欠部が形成されている。この底面板部１２６は、左側台部１２０の組立て状態においては、左側台部１２０の底面を構成し、上面板部１２２と略平行となる。また、後側立設板部１２８は、底面板部１２６のＹ２側の辺部から折れ線を介して連設され、略長方形状を呈している。つまり、横方向（Ｘ１−Ｘ２方向）の長さは上面板部１２２と略同一に形成され、そのＹ１−Ｙ２方向の長さは背面板部１２４と略同一の（又は若干短い）長さとなっている。この後側立設板部１２８は、左側台部１２０の組立て状態においては、背面板部１２４と略平行となる。なお、後側立設板部１２８の底面板部１２６側の端部には、差込み片部１４８を差し込むための溝部１２８ａが形成されている。また、後側接着板部１３０は、後側立設板部１２８のＹ２側の辺部から折れ線を介して連設され、略長方形状を呈している。すなわち、横方向（Ｘ１−Ｘ２方向）の長さは上面板部１２２と略同一に形成され、そのＹ１−Ｙ２方向の長さは背面板部１２４よりも短く（略半分の長さに）形成されている。この後側接着板部１３０は、左側台部１２０の組立て状態においては、後側立設板部１２８に接着される。また、後側架設板部１３２は、後側接着板部１３０のＹ２側の辺部から折れ線を介して連設され、細長の長方形状を呈している。すなわち、横方向（Ｘ１−Ｘ２方向）の長さは後側接着板部１３０よりも短く形成され、また、Ｙ１−Ｙ２方向の長さは、上面板部１２２のＹ１−Ｙ２方向の長さから底面板部１２６のＹ１−Ｙ２方向の長さと底面板部１３６のＹ１−Ｙ２方向の長さを減じた長さと略同一に形成されている。また、後側架設板部１３２と後側接着板部１３０の境界位置には、差込み片部１４４を差し込むための切込み部１３２ａ（略コ字状の切込み部）が設けられている。
【００６１】
また、正面板部１３４は、上面板部１２２のＹ１側の辺部から折れ線を介して連設され、長方形状を呈していて、背面板部１２６と線対称に形成されている。この正面板部１３４は、左側台部１２０の組立て状態においては、左側台部１２０の正面を構成し、上面板部１２２と略直角となる。また、底面板部１３６は、正面板部１３４のＹ１側の辺部から折れ線を介して連設され、細長の略長方形状を呈し、底面板部１２６と線対称に形成されている。この底面板部１３６は、左側台部１２０の組立て状態においては、左側台部１２０の底面を構成し、上面板部１２２と略平行となる。また、前側立設板部１３８は、底面板部１３６のＹ１側の辺部から折れ線を介して連設され、略長方形状を呈していて、後側立設板部１２８と線対称に形成されている。なお、前側立設板部１３８の底面板部１３６側の端部には、差込み片部１４８を差し込むための溝部１３８ａが形成されている。この前側立設板部１３８は、左側台部１２０の組立て状態においては、正面板部１３４と略平行となる。また、前側接着板部１４０は、前側立設板部１３８のＹ２側の辺部から折れ線を介して連設され、後側接着板部１３０と線対称に形成されている。この前側接着板部１４０は、左側台部１２０の組立て状態においては、前側立設板部１３８に接着される。また、前側架設板部１４２は、前側接着板部１４０のＹ１側の辺部から折れ線を介して連設され、細長の長方形状を呈している。つまり、後側架設板部１３２と線対称に形成されている。また、差込み片部１４４は、前側架設板部１４２のＹ１側の辺部から連設され、略方形状に形成されている。
【００６２】
また、上面板部１２２のＸ１側の辺部からは、折れ線を介して側面板部１４６が形成されている。この側面板部１４６は、方形状を呈し、そのＹ１−Ｙ２方向の長さは上面板部１２２のＹ１−Ｙ２方向の長さと略同一に形成され、また、Ｘ１−Ｘ２方向の長さは、背面板部１２４のＹ１−Ｙ２方向の長さと略同一に形成されている。
【００６３】
また、差込み片部１４８は、側面板部１４６のＸ１側の辺部から折れ線を介して連設され、略凸状を呈している。この凸状形状における突出部分の両側には溝部１４８ｂ−１、１４８ｂ−２が形成され、左側台部１２０の組立て状態において、溝部１４８ｂ−１は、溝部１２８ａと嵌合し、溝部１４８ｂ−２は溝部１３８ａと嵌合する。また、差込み片部１４８と側面板部１４６との境界位置には、切込み部１４８ａ−１、１４８ａ−２が形成され、左側台部１２０の組立て状態において、差込み片部１５４が切込み部１４８ａ−１に差し込まれ、また、差込み片部１５６が切込み部１４８ａ−２に差し込まれる。また、側面板部１４６から差込み片部１４８に架けてＸ１−Ｘ２方向にスリット状の開口部１４７が形成されている。この開口部１４７には、左側本体部２０の突出片部４０が差し込まれ、突出片部４０が側面板部１４６に係止する。なお、突出片部４０が係止するように、開口部１４７は、上面板部１２２と側面板部１４６の境界位置までは形成されておらず、開口部１４７と該境界位置間には間隔が形成されている。
【００６４】
また、フラップ部１５０は、背面板部１２４のＸ１側の辺部から折れ線を介して連設され、フラップ部１５２は、正面板部１３４のＸ１側の辺部から折れ線を介して連設されている。また、差込み片部１５４は、底面板部１２６の角部から連設され、底面板部１２６から連設された本体部と本体部から折れ線を介して連設された先端部とを有し、該先端部が、切込み部１４８ａ−１に差し込まれる。同様に、差込み片部１５６は、底面板部１３６の角部から連設され、底面板部１３６から連設された本体部と本体部から折れ線を介して連設された先端部とを有し、該先端部が、切込み部１４８ａ−２に差し込まれる。
【００６５】
この左側台部１２０を組み立てる際には、後側立設板部１２８と後側接着板部１３０とを接着し、前側立設板部１３８と前側接着板部１４０とを接着しておく。つまり、後側接着板部１３０のハッチングに示す箇所に接着剤を塗布して、後側立設板部１２８と接着し、前側接着板部１４０のハッチングに示す箇所に接着剤を塗布して、前側立設板部１３８と接着しておく。そして、底面板部１２６を背面板部１２４に対して折り曲げるとともに、底面板部１３６を正面板部１３４に対して折り曲げ、後側立設板部１２８を底面板部１２６に対して折り曲げるとともに、前側立設板部１３８を底面板部１３６に対して折り曲げ、後側架設板部１３２を後側接着板部１３０に対して折り曲げるとともに、前側架設板部１４２を前側接着板部１４０に対して折り曲げて、図１７に示す状態とする。その後、背面板部１２４を上面板部１２２に対して折り曲げるとともに、正面板部１３４を上面板部１２２に対して折り曲げ、前側架設板部１４２を後側架設板部１３２に重ねた状態で（つまり、前側架設板部１４２は、上面板部１２２に対して後側架設板部１３２とは反対側となる）差込み片部１４４を切込み部１３２ａに差し込んで、図１８に示す状態とする。その後、フラップ部１５０を背面板部１２４に対して折り曲げるとともに、フラップ部１５２を正面板部１３４に対して折り曲げ、フラップ部１５０、１５２を閉じた状態とし、その後、側面板部１４６を上面板部１２２に対して折り曲げるとともに、差込み片部１４８を側面板部１４６に対して折り曲げ、差込み片部１４８の両側を底面板部１２６、１３６の内側に差し込み（その際、溝部１２８ａと溝部１４８ｂ−１を係止させ、溝部１３８ａと溝部１４８ｂ−２を係止させる）、その後、差込み片部１５４を切込み部１４８ａ−１に差込み、差込み片部１５６を切込み部１４８ａ−２に差し込むことにより、左側台部１２０を組み立てる。
【００６６】
右側台部１６０は、図１、図２、図８、図１０に示すように全体に略箱状を呈し、右側台部１６０の高さ方向の長さは、右側台部１６０を右側本体部６０内に設置した際に、右側台部１６０の上端が右側本体部６０の背面部６５の上端よりも低くなるような長さに形成され、また、右側台部１６０の前後方向の長さは、右側台部１６０を右側本体部６０内に設置した際に、右側本体部６０の正面部８５と右側台部１６０間に間隔が形成されるような長さに形成されている。また、右側台部１６０の右側面には、突出片部８０を係止するための開口部１８７が形成されている。
【００６７】
右側台部１６０の詳細を図１４を用いて説明すると、右側台部１６０は、１枚のシート状のブランク（具体的には、段ボール）により形成されていて、上面板部（第２上面板部）１６２と、背面板部（第２背面板部）１６４と、底面板部（第２後側底面板部）１６６と、後側立設板部（第２後側立設板部）１６８と、正面板部（第２正面板部）１７４と、底面板部（第２前側底面板部）１７６と、前側立設部（第２前側立設部）１７８と、側面板部（第２側面板部）１８６と、差込み片部１８８と、フラップ部１９０、１９２と、差込み片部１９４、１９６とを有している。
【００６８】
右側台部１６０は、左側台部１２０から後側接着板部１３０と後側架設板部１３２と前側接着板部１４０と前側架設板部１４２と差込み片部１４４を除くとともに、左右対称とした構成であるので、詳しい説明を省略する。なお、右側台部１６０が左側台部１２０内に収納した状態でスライドするので、上面板部１６２の幅（Ｙ１−Ｙ２方向の長さ）は、上面板部１２２の幅（Ｙ１−Ｙ２方向の長さ）よりも若干短く形成され、背面板部１６４の幅（Ｙ１−Ｙ２方向の長さ）は、背面板部１２４の幅（Ｙ１−Ｙ２方向の長さ）よりも若干短く形成され、正面板部１７４の幅（Ｙ１−Ｙ２方向の長さ）は、正面板部１３４の幅（Ｙ１−Ｙ２方向の長さ）よりも若干短く形成され、底面板部１６６の幅（Ｙ１−Ｙ２方向の長さ）は、底面板部１２６の幅（Ｙ１−Ｙ２方向の長さ）よりも若干短く形成され、底面板部１７６の幅（Ｙ１−Ｙ２方向の長さ）は、底面板部１３６の幅（Ｙ１−Ｙ２方向の長さ）よりも若干短く形成され、後側立設板部１６８の幅（Ｙ１−Ｙ２方向の長さ）は、後側立設板部１２８の幅（Ｙ１−Ｙ２方向の長さ）よりも若干短く形成され、前側立設板部１７８の幅（Ｙ１−Ｙ２方向の長さ）は、前側立設板部１３８の幅（Ｙ１−Ｙ２方向の長さ）よりも若干短く形成されている。
【００６９】
また、差込み片部１４８においては中央部分が突出した構成であるのに対して、差込み片部１８８は中央部分が突出しない構成である。差込み片部１８８の先端には、溝部１６８ａと係止する溝部１８８ｂ−１が設けられ、溝部１７８ａと係止する溝部１８８ｂ−２が形成されている。また、差込み片部１８８と側面板部１８６との境界位置には、切込み部１８８ａ−１、１８８ａ−２が形成され、右側台部１６０の組立て状態において、差込み片部１９４が切込み部１８８ａ−１に差し込まれ、また、差込み片部１９６が切込み部１８８ａ−２に差し込まれる。
【００７０】
この右側台部１６０を組み立てる際には、後側立設板部１６８を底面板部１６６に対して折り曲げるとともに、前側立設板部１７８を底面板部１７６に対して折り曲げ、底面板部１６６を背面板部１６４に対して折り曲げるとともに、底面板部１７６を正面板部１７４に対して折り曲げ、背面板部１６４を上面板部１６２に対して折り曲げるとともに、正面板部１７４を上面板部１６２に対して折り曲げて、図１９に示すような状態とする。その後、フラップ部１９０を背面板部１６４に対して折り曲げるとともに、フラップ部１９２を正面板部１７４に対して折り曲げ、フラップ部１９０、１９２を閉じた状態とし、その後、側面板部１８６を上面板部１６２に対して折り曲げるとともに、差込み片部１８８を側面板部１８６に対して折り曲げ、差込み片部１８８の両側を底面板部１６６、１７６の内側に差し込み（その際、溝部１６８ａと溝部１８８ｂ−１を係止させ、溝部１７８ａと溝部１８８ｂ−２を係止させる）、その後、差込み片部１９４を切込み部１８８ａ−１に差込み、差込み片部１９６を切込み部１８８ａ−２に差し込むことにより、右側台部１６０を組み立てる。
【００７１】
また、台部１１０を組み立てる場合には、右側台部１６０を左側台部１２０内に挿入する。すなわち、上面板部１６２が上面板部１２２の内側（つまり、下面）に接し、背面板部１６４が背面板部１２４の内側（つまり、正面側）に接し、正面板部１７４が正面板部１３４の内側（つまり、背面側）に接し、底面板部１６６が底面板部１２６の内側（つまり、上面側）に接し、底面板部１７６が底面板部１３６の内側（つまり、上面側）に接し、後側立設板部１６８が後側立設板部１２８の内側（つまり、背面側）に接し、前側立設板部１７８が前側立設板部１３８の内側（つまり、正面側）に接した状態とする。これにより、台部１１０が組み立てられた状態では、右側台部１６０が左側台部１２０内に収納された状態で、左側台部１２０と右側本体部１６０とが互いにスライドする。
【００７２】
また、台部１１０を本体部１０に取り付ける場合には、左側台部１２０の開口部１４７に突出片部４０を係止し、右側台部１６０の開口部１８７に突出片部８０を係止する。なお、左側台部１２０を突出片部４０に係止させ、右側台部１６０を突出片部８０に係止させたら、台部１１０を本体部１０に接着させる。すなわち、左側台部１２０の背面板部１２４のハッチングに示す箇所（図１３参照）に接着剤を塗布して、左側台部１２０の背面板部１２４を左側本体部２０の前側背面板部３０に接着し、右側本体部６０の前側背面板部７０のハッチングに示す箇所（図１２参照）に接着剤を塗布して、右側台部１６０の背面板部１６４を右側本体部６０の前側背面板部７０に接着させる。以上のようにして、伸縮棚５が組み立てられる。
【００７３】
上記構成の伸縮棚５の使用状態は、通常の棚として使用すればよく、被載置物を伸縮棚５に載置して使用する。特に、伸縮棚５においては、台部１１０が設けられているので、底面部２２、６２の上面のみならず、台部１１０の上面（上面板部１２２、１６２の上面）にも載置することができる。
【００７４】
また、伸縮棚５を構成する各部は、段ボールにより形成されているので、廃棄を容易とすることができる。
【００７５】
また、伸縮棚５は、図１、図４に示す伸びた状態と、図３、図５に示す縮めた状態との間で伸縮することができるので、伸縮棚５を載置するスペースの広さに応じて伸縮棚５の長さを調整することができる。特に、突出片部４０により左側本体部２０が左側台部１２０に係止され、突出片部８０により右側本体部６０が右側台部１６０に係止されているので、本体部２０を伸縮するに伴って台部１２０も伸縮させることができる。
【００７６】
特に、右側本体部６０の背面部６５が左側本体部２０の背面部２５内に挿入され、右側本体部６０の正面部８５が左側本体部２０の正面部４５内に挿入され、また、後側正面板部４８は、後側正面板部８８とスライド用板部９２に挟まれた状態となっているので、左側本体部２０と右側本体部６０とが円滑にスライドし、台部１１０においても、右側台部１６０が左側台部１２０に挿入した状態となっているので、円滑にスライドする。
【００７７】
また、上記のように、脱落防止用板部２８、６８、２４、６４が設けられているので、本体部１０を伸ばした状態としても、左側本体部２０と右側本体部６０とが脱落することがない。
【００７８】
また、背面部２５は、前側背面板部３０と後側背面板部２６とで二重に形成され、背面部６５は、前側背面板部７０と後側背面板部６６とで二重に形成され、正面部４５は、前側正面板部４６と後側正面板部４８とで二重に形成され、正面部８５は、前側正面板部８６と後側正面板部８８とで二重に形成され、また、側面部３１は、外側側板部３２と内側側板部３６と中間側板部３８とで少なくとも三重に形成され、側面部７１は、外側側板部７２と内側側板部７６と中間側板部７８とで少なくとも三重に形成されているので、段ボール製であっても本体部１０の強度を十分得ることができる。
【００７９】
また、台部１１０においても、左側台部１２０は、上面板部１２２と、背面板部１２４と、底面板部１２６と、後側立設板部１２８と、正面板部１３４と、底面板部１３６と、前側立設部１３８とを有し、右側台部１６０は、上面板部１６２と、背面板部１６４と、底面板部１６６と、後側立設板部１６８と、正面板部１７４と、底面板部１７６と、前側立設部１７８とを有していて、特に、左側台部１２０と右側台部１６０のそれぞれに一対の立設板部が設けられているので、台部の強度を得ることができる。さらに、左側台部１２０においては、差込み片部１４４を切込み部１３２ａに差し込むことにより、後側架設板部１３２と前側架設板部１４２とを連結して、後側立設板部１２８と前側立設板部１３８とを架橋しているので、より強度を強くすることができる。よって、台部１１０に重量の大きい被載置物を載置しても台部１１０が損傷するおそれが小さい。
【００８０】
なお、上記の説明において、左側本体部２０において、中間側板部３８は前側背面板部３０から連設されているとして説明したが、上記左側本体部２０において連設側板部４２、４４の構成を省略して、後側背面板部２６の左辺から折れ線を介して連設するようにしてもよい。同様に、右側本体部６０において、中間側板部７８は前側背面板部７０から連設されているとして説明したが、上記右側本体部６０において連設側板部８２、８４の構成を省略して、後側背面板部６６の右辺から折れ線を介して連設するようにしてもよい。
【００８１】
また、上記の説明においては、本体部１０においては、右側本体部６０を左側本体部２０に挿入し、台部１１０においては、右側台部１６０を左側台部１２０に挿入するものとして説明したが、本体部１０を左右対称に構成して、左側本体部を右側本体部に挿入する構成としてもよく、また、台部１１０を左右対称に構成して、左側台部を右側台部に挿入する構成としてもよい。
【符号の説明】
【００８２】
５  伸縮棚
１０  本体部
２０  左側本体部
６０  右側本体部
２２、６２  底面部
２４、２８、６４、６８  脱落防止用板部
２６、６６  後側背面板部
２９、３４、４７、７４  帯状板部
３０、７０  前側背面板部
３２、７２  外側側板部
３６、７６  内側側板部
３８、７８  中間側板部
４０、８０  突出片部
４２、４４、８２、８４  連設側板部
４６、８６  前側正面板部
４８、８８  後側正面板部
５０、５２、５４、９４、９６、９８  連設板部
９０  水平板部
９２  スライド用板部
１１０  台部
１２０  左側台部
１２２、１６２  上面板部
１２４、１６４  背面板部
１２６、１３６、１６６、１７６  底面板部
１２８、１６８  後側立設板部
１３０  後側接着板部
１３２  後側架設板部
１３４、１７４  正面板部
１３８、１７８  前側立設板部
１４０  前側接着板部
１４２  前側架設板部
１４４、１４８、１５４、１５６、１８８、１９４、１９６  差込み片部
１４６、１８６  側面板部
３６ｂ、７６ｂ、１４７、１８７  開口部
１５０、１５２、１９０、１９２  フラップ部
１６０  右側台部
【図１】
0003150858.tif 000003
【図２】
0003150858.tif 000004
【図３】
0003150858.tif 000005
【図４】
0003150858.tif 000006
【図５】
0003150858.tif 000007
【図６】
0003150858.tif 000008
【図７】
0003150858.tif 000009
【図８】
0003150858.tif 000010
【図９】
0003150858.tif 000011
【図１０】
0003150858.tif 000012
【図１１】
0003150858.tif 000013
【図１２】
0003150858.tif 000014
【図１３】
0003150858.tif 000015
【図１４】
0003150858.tif 000016
【図１５】
0003150858.tif 000017
【図１６】
0003150858.tif 000018
【図１７】
0003150858.tif 000019
【図１８】
0003150858.tif 000020
【図１９】
0003150858.tif 000021